(57)【要約】【課題】  超電導バルク体を冷却して回転翼の永久磁石と対応する磁場捕捉用磁石の磁場を捕捉するときに、被処理液体に汚染や不純物混入が生じることなく、且つ永久磁石延いては回転翼を簡便な方法で超電導バルク体から所定間隙を保って設置する。【解決手段】  被処理液体を収納する容器２２から磁極構成物１１の超電導バルク体１２を相対的に離間する。回転翼２４の永久磁石２３を超電導バルク体１２と接触させずに所定間隙を保って対向させて配置する。超電導バルク体１２を冷凍機１３により超電導遷移温度以下に冷却して永久磁石２３の磁場を超電導バルク体１２に捕捉する。超電導バルク体１２を容器２２に対して相対的に移動して容器２２の外表面に接近した攪拌位置に位置する。回転翼２４を容器２２内部に配置して超電導バルク体１２との磁場の作用により支持する。【選択図】  図１
2005074287.tif 000002
【特許請求の範囲】
【請求項１】
攪拌に供される被処理液体を収納する非磁性体の容器と、
超電導バルク体を冷凍機で冷却する構造の磁極構成物と、
永久磁石を有し前記容器内で前記被処理液体を攪拌するための回転翼と、
該回転翼を容器外より回転させるための回転力を伝達する磁気カップリングと、を備え、
前記容器の外表面に対して接近した攪拌位置に位置する前記超電導バルク体と、前記永久磁石との間をピン止め力により所定間隙に保持し、全ての回転部分が容器内壁に接触することなく前記磁気カップリングで前記回転翼を回転させるようにした非接触攪拌装置における回転翼の設置方法において、
前記磁極構成物を前記容器から離間した磁場捕捉位置に相対的に移動し、前記回転翼の永久磁石と対応する磁場捕捉用磁石を前記超電導バルク体と接触させずに前記所定間隙を保って対向させて配置し、前記超電導バルク体を前記冷凍機により超電導遷移温度以下に冷却して前記磁場捕捉用磁石の磁場を前記超電導バルク体に捕捉した後に、前記超電導バルク体を前記容器に対して相対的に移動して前記攪拌位置に位置し、前記容器内部に配置される回転翼を前記超電導バルク体との磁場の作用により支持することを特徴とする非接触攪拌装置における回転翼の設置方法。
【請求項２】
請求項１に記載の非接触攪拌装置における回転翼の設置方法において、前記磁場捕捉用磁石の磁場を前記超電導バルク体に捕捉させるとき、前記磁極構成物の超電導バルク体と前記磁場捕捉用磁石との間に所定厚さの非磁性材料からなるスペーサを介在させ、前記磁場捕捉用磁石及び前記超電導バルク体を安定して前記所定間隙を保った状態で前記冷凍機の運転により前記超電導バルク体を前記超電導遷移温度以下に冷却することを特徴とする非接触攪拌装置における回転翼の設置方法。
【請求項３】
請求項１又は２に記載の非接触攪拌装置における回転翼の設置方法において、前記磁場捕捉用磁石は前記永久磁石自身であることを特徴とする非接触攪拌装置における回転翼に設置方法。
【請求項４】
攪拌に供される被処理液体を収納する非磁性体の容器と、
超電導バルク体を冷凍機で冷却する構造の磁極構成物と、
永久磁石を有し前記容器内で前記被処理液体を攪拌するための回転翼と、
該回転翼を容器外より回転させるための回転力を伝達する磁気カップリングと、を備え、
前記容器の外表面に対して接近した攪拌位置に位置する前記超電導バルク体と、
前記永久磁石との間をピン止め力により所定間隙に保持し、全ての回転部分が容器内壁に接触することなく前記磁気カップリングで前記回転翼を回転させるようにした非接触攪拌装置において、
前記磁極構成物を前記容器から離間した磁場捕捉位置と前記攪拌位置との間で前記容器に対して相対的に移動させる移動装置を設け、前記回転翼の永久磁石と対応する磁場捕捉用磁石を前記磁場捕捉位置において前記超電導バルク体上に非磁性体のスペーサにより前記所定間隙を保って配置し前記超電導バルク体を前記冷凍機により超電導遷移温度以下に冷却して前記磁場捕捉用磁石の磁場を前記超電導バルク体に捕捉した後に、前記超電導バルク体を前記移動装置により前記攪拌位置に相対的に移動し、前記容器内部に配置される回転翼を前記超電導バルク体との磁場の作用により支持することを特徴とする非接触攪拌装置。
【請求項５】
請求項４に記載の非接触攪拌装置において、前記移動装置は、前記磁極構成物を前記攪拌位置と前記磁場捕捉位置との間で移動するものであることを特徴とする非接触攪拌装置。
【請求項６】
請求項４又は５に記載の非接触攪拌装置において、前記磁場捕捉用磁石は前記永久磁石自身であることを特徴とする非接触攪拌装置。
【発明の詳細な説明】
【技術分野】
【０００１】
本発明は、攪拌に供される被処理液体を収納する容器内で被処理液体を攪拌する回転部分が容器内壁に接触することなく回転する非接触攪拌装置に関するものである。
【背景技術】
【０００２】
超電導を利用して被処理液体中に磁気浮上させた回転翼を回転させ、被処理液体を攪拌する非接触攪拌装置が特許文献１に記載されている。図３において、４１は被処理液体を入れた非磁性体よりなる容器で、冷凍機４２により超電導遷移温度以下に冷却されると超電導状態となる超電導バルク体４３が、容器４１の底部の下方に近接して設置されている。容器４１内には永久磁石４４を包囲して複数の攪拌翼４０が設けられた回転翼４５が容器４１の底面を挟んで超電導バルク体４３に対向して配置され、この永久磁石４４の磁場を超電導バルク体４３が捕捉し、超電導バルク体４３のピン止め力により永久磁石４４が超電導バルク体４３と所定間隙を保持して被処理液体中に支持される。永久磁石４４の上方には垂直に延在する支持軸４６が設けられ、この支持軸４６の先端に受動永久磁石４７が取り付けられている。受動永久磁石４７を回転させるための能動永久磁石４８が容器４１の外部に受動永久磁石４７と対向して設置され、この能動永久磁石４８がモータ等の回転機構４９により回転駆動される。受動永久磁石４７と能動永久磁石４８により磁気カップリング５０が構成され、回転機構４９により能動永久磁石４８が回転されると受動永久磁石４７が非接触で回転される。
【０００３】
超電導バルク体４３のピン止め力により永久磁石４４は容器４１内で容器の内壁に触れることなく垂直方向に保持されるので、磁気カップリング５０の受動永久磁石４８も能動永久磁石４９と所定間隙をもって保持される。回転機構４９の回転力が磁気カップリング５０を介して支持軸４６に伝えられ、回転翼４５が容器４１の内壁と非接触で回転駆動される。このように、回転翼４５は被処理液体中で他の構成部品と非接触に支持されて回転されるので、接触部分でおこる摩擦磨耗による不純物などの混入が全くない状態で被処理液体を攪拌することができる。
【特許文献１】特開２０００−１２４０３０号公報（第〔００１５〕乃至〔００１７〕欄、図１）
【発明の開示】
【発明が解決しようとする課題】
【０００４】
上記特許文献１における非接触攪拌装置を機能させるには、攪拌を行なうのに先立って、超電導バルク体４３を冷凍機４２で冷却して超電導状態にする期間、永久磁石４４を容器４１の底面から離れた所定位置に維持する必要がある。このため、永久磁石４４をスペーサ５２を介在して容器４１の底面に載置し、永久磁石４４の発生する磁場を超電導バルク体４３に印加し、超電導バルク体４３を冷却して超電導状態にした後に、スペーサ５２を除去する必要がある。
【０００５】
しかしながら、容器４１の内部は平滑にする場合が多く、スペーサ５２を容器４１の底面に設置する目印となる突起やへこみなどを付けにくい。また、目印なしでスペーサ５２を設置すると、内部から超電導バルク体４３の位置を把握することができず、スペーサ５２延いては永久磁石４４を超電導バルク体４３と正確に位置を合わせることが困難である。また、超電導バルク体４３の冷却が終了したのちスペーサ５２を容器４１の底面から取り出す間に、不純物が容器４１内に侵入る虞があり、特に、被処理液体が容器４１にすでに充填されている場合は、被処理液体に不純物が混入し、あるいは外気が混入して汚染する虞があった。
【０００６】
本発明は係る従来の不具合を解消するためになされたもので、超電導バルク体を冷却して回転翼の永久磁石と対応する磁場捕捉用磁石の磁場を捕捉させるときに、被処理液体に汚染や不純物混入が生じることなく、且つ永久磁石延いては回転翼を簡便な方法で超電導バルク体から所定間隙を保って設置することである。
【課題を解決するための手段】
【０００７】
前記課題を解決するため、請求項１に係る発明の構成上の特徴は、攪拌に供される被処理液体を収納する非磁性体の容器と、超電導バルク体を冷凍機で冷却する構造の磁極構成物と、永久磁石を有し前記容器内で前記被処理液体を攪拌するための回転翼と、該回転翼を容器外より回転させるための回転力を伝達する磁気カップリングと、を備え、前記容器の外表面に対して接近した攪拌位置に位置する前記超電導バルク体と、前記永久磁石との間をピン止め力により所定間隙に保持し、全ての回転部分が容器内壁に接触することなく前記磁気カップリングで前記回転翼を回転させるようにした非接触攪拌装置における回転翼の設置方法において、前記磁極構成物を前記容器から離間した磁場捕捉位置に相対的に移動し、前記回転翼の永久磁石と対応する磁場捕捉用磁石を前記超電導バルク体と接触させずに前記所定間隙を保って対向させて配置し、前記超電導バルク体を前記冷凍機により超電導遷移温度以下に冷却して前記磁場捕捉用磁石の磁場を前記超電導バルク体に捕捉した後に、前記超電導バルク体を前記容器に対して相対的に移動して前記攪拌位置に位置し、前記容器内部に配置される回転翼を前記超電導バルク体との磁場の作用により支持することである。
【０００８】
請求項２に係る発明の構成上の特徴は、請求項１に記載の非接触攪拌装置における回転翼の設置方法において、前記磁場捕捉用磁石の磁場を前記超電導バルク体に捕捉させるとき、前記磁極構成物の超電導バルク体と前記磁場捕捉用磁石との間に所定厚さの非磁性材料からなるスペーサを介在させ、前記磁場捕捉用磁石及び前記超電導バルク体を安定して前記所定間隙を保った状態で前記冷凍機の運転により前記超電導バルク体を前記超電導遷移温度以下に冷却することである。
【０００９】
請求項３に係る発明の構成上の特徴は、請求項１又は２に記載の非接触攪拌装置における回転翼の設置方法において、前記磁場捕捉用磁石は前記永久磁石自身であることである。
【００１０】
請求項４に係る発明の構成上の特徴は、攪拌に供される被処理液体を収納する非磁性体の容器と、超電導バルク体を冷凍機で冷却する構造の磁極構成物と、永久磁石を有し前記容器内で前記被処理液体を攪拌するための回転翼と、該回転翼を容器外より回転させるための回転力を伝達する磁気カップリングと、を備え、前記容器の外表面に対して接近した攪拌位置に位置する前記超電導バルク体と、前記永久磁石との間をピン止め力により所定間隙に保持し、全ての回転部分が容器内壁に接触することなく前記磁気カップリングで前記回転翼を回転させるようにした非接触攪拌装置において、前記磁極構成物を前記容器から離間した磁場捕捉位置と前記攪拌位置との間で前記容器に対して相対的に移動させる移動装置を設け、前記回転翼の永久磁石と対応する磁場捕捉用磁石を前記磁場捕捉位置において前記超電導バルク体上に非磁性体のスペーサにより前記所定間隙を保って配置し前記超電導バルク体を前記冷凍機により超電導遷移温度以下に冷却して前記磁場捕捉用磁石の磁場を前記超電導バルク体に捕捉した後に、前記超電導バルク体を前記移動装置により前記攪拌位置に相対的に移動し、前記容器内部に配置される回転翼を前記超電導バルク体との磁場の作用により支持することである。
【００１１】
請求項５に係る発明の構成上の特徴は、請求項４に記載の非接触攪拌装置において、前記移動装置は、前記磁極構成物を前記攪拌位置と前記磁場捕捉位置との間で移動するものであることを特徴とする非接触攪拌装置。
【００１２】
請求項６に係る発明の構成上の特徴は、請求項４又は５に記載の非接触攪拌装置において、前記磁場捕捉用磁石は前記永久磁石自身であることである。
【発明の効果】
【００１３】
上記のように構成した請求項１に係る発明においては、磁極構成物の超電導バルク体を被処理液体を収納する容器から離間した磁場捕捉位置に相対的に移動する。回転翼の永久磁石と対応する磁場捕捉用磁石を超電導バルク体と接触させずに所定間隙を保って対向させて配置する。超電導バルク体を冷凍機により超電導遷移温度以下に冷却して磁場捕捉用磁石の磁場を超電導バルク体に捕捉する。超電導バルク体を容器に対して相対的に移動して容器の外表面に接近した攪拌位置に移動する。回転翼を容器内部に配置して超電導バルク体との磁場の作用により支持する。
【００１４】
これにより、超電導バルク体を冷却して回転翼の永久磁石と対応する磁場捕捉用磁石の磁場を捕捉させるときに、被処理液体に汚染や不純物混入が生じることがなく、且つ永久磁石延いては回転翼を簡便な方法で超電導バルク体に対して所定間隙を保ち正確に対向して設置することができる。また、回転翼を容器底面などの容器壁面から所望間隙を保って支持することができるので、容器壁面の変形量が許容範囲内であれば、永久磁石の磁場を超電導バルク体に捕捉するときの両者の間隙を変形量に合わせて設定することにより、回転翼を容器壁面の変形部分から離して支持することができ、超電導バルク体の位置を調整することにより磁気カップリング部も含めて回転翼全体を容器内部の所望位置に容器内面に接触することなく安定して支持することができる。
【００１５】
上記のように構成した請求項２に係る発明においては、磁極構成物の超電導バルク体と回転翼の永久磁石と対応する磁場捕捉用磁石との間に所定厚さの非磁性材料からなるスペーサを介在させることにより、磁場捕捉用磁石及び前記超電導バルク体が安定して所定間隙を保った状態で、冷凍機の運転により超電導バルク体を超電導遷移温度以下に冷却して磁場捕捉用磁石の磁場を超電導バルク体に捕捉させることができる。
【００１６】
上記のように構成した請求項３に係る発明においては、磁場捕捉用磁石を永久磁石自身としたので、回転翼の永久磁石を正確に安価に捕捉することができる。
【００１７】
上記のように構成した請求項４に係る発明においては、磁極構成物の超電導バルク体を移動装置により磁場捕捉位置に相対的に移動する。回転翼の永久磁石と対応する磁場捕捉用砥石を磁場捕捉位置で超電導バルク体上に非磁性体のスペーサにより所定間隙を保って配置する。超電導バルク体を冷凍機により超電導遷移温度以下に冷却して磁場捕捉用磁石の磁場を超電導バルク体に捕捉する。超電導バルク体を移動装置により容器に対して相対的に移動して容器の外表面に接近した攪拌位置に相対的に移動する。回転翼を容器内部に配置して超電導バルク体との磁場の作用により支持する。
【００１８】
これにより、超電導バルク体を冷却して回転翼の永久磁石と対応する磁場捕捉用磁石の磁場を捕捉させるときに、被処理液体に汚染や不純物混入が生じることがなく、且つ永久磁石延いては回転翼を簡便な方法で超電導バルク体に対して所定間隙を保ち正確に対向して設置することができる攪拌装置を提供することができる。また、回転翼を超電導バルク体から所定間隙を保って支持する設定の自由度が増大するので、容器の形状に応じて所定間隙を調節し、例えば、緩やかな曲面の底面をもった容器に利用可能であり、底面に段差や溝があってもよい。
【００１９】
上記のように構成した請求項５に係る発明においては、移動装置が磁極構成物を攪拌位置と磁場捕捉位置との間で移動するので、磁極構成物の超電導バルク体を容器の外表面に接近した攪拌位置と超電導バルク体が攪拌翼の永久磁石と対応する磁場捕捉用磁石の磁場を捕捉する磁場捕捉位置との間で容易に移動させることができる。
【００２０】
上記のように構成した請求項６に係る発明においては、磁場捕捉用磁石を永久磁石自身としたので、回転翼の永久磁石を正確に捕捉することができる非接触攪拌装置を安価に提供することができる。
【発明を実施するための最良の形態】
【００２１】
本発明に係る非接触攪拌装置の回転翼の設置方法およびその方法を使用した非接触攪拌装置の第１実施形態を図面に基づいて説明する。図１において、１１は磁極構成物で、磁極構成物１１は主として超電導バルク体１２と、冷凍機１３より構成され、冷凍機１３は超電導バルク体１２の周囲を真空断熱するための真空容器１４を備え、この真空容器１４内に超電導バルク体１２が収納されている。真空容器１４には真空減圧口１５が設けられ、図示省略した真空ポンプに接続されている。冷凍機１３はヘリウムガスの配管１６，１７によって圧縮機に接続され、超電導バルク体１２を３０Ｋ程度の低温に冷却する。冷凍機１３は、公知のＧＭ式のほか、パルス管冷凍機、ソルべー式、スターリング式、あるいはこれらを複数組み合わせた構成のものが用いられる。
【００２２】
磁極構成物１１は旋回移動装置１８により磁場捕捉位置Ａと攪拌位置Ｂの間で移動される。旋回移動装置１８は、軸台１９に垂直軸線回りに回転可能に軸承された回転軸２０、回転軸２０に一端が固定され水平方向に延在する旋回軸２１等で構成され、この旋回軸２１の他端に磁極構成物１１が連結されている。攪拌位置Ｂには、非磁性体からなる容器２２が固定されている。容器２２は容器本体２２ａと開閉可能な蓋２２ｂとから構成されている。容器本体２２ａの底部外表面には攪拌位置Ｂに位置する磁極構成物１１の超電導バルク体１２が対向して配置され、容器本体２２ａ内部には超電導バルク体１２によりピン止め力により支持された円盤状の永久磁石２３を備えた回転翼２４が配置されている。永久磁石２３は、容器本体２２ａ内部において、超電導バルク体１２により下方から支持されて浮上する浮上永久磁石２３である。回転翼２４は、複数の攪拌翼２５が浮上永久磁石２３の周りに取り付けられ、浮上永久磁石２３の上面中心に支持軸２６が垂直に突設され、支持軸２６の上端に受動永久磁石２７が調整ねじ２８により位置調整可能に取り付けられて構成されている。浮上永久磁石２３は上面と下面で夫々異なる極性の磁石であって、例えば上面がＳ極であれば、下面はＮ極とされている。受動永久磁石２７は円盤状であり、Ｓ,Ｎの磁極が円周方向に交互に複数の磁石を組み合わせて形成されている。受動永久磁石２７の上方には蓋２２ｂを挟んで能動永久磁石２９が取り付けられている。能動永久磁石２９も受動永久磁石２７と同様な構造であり、連結されたモータ等による回転機構３０によって回転される。これら受動永久磁石２７、能動永久磁石２９によって磁気カップリング３１が構成される。
【００２３】
磁極構成物１１が旋回移動装置１８により磁場捕捉位置Ａに移動されたときは、磁極構成物１１の超電導バルク体１２の上面が近接する真空容器１４の上面１４ａ上に非磁性体のスペーサ３２が載置され、スペーサ３２上に回転翼２４の浮上永久磁石２３が磁場捕捉用磁石として載置される。これにより、冷凍機１３の運転により超電導バルク体１２が超電導遷移温度以下に冷却されて浮上永久磁石２３の磁場を捕捉するとき、浮上永久磁石２３は超電導バルク体１２との間に所定隙間を保って安定して保持される。
【００２４】
次に上記実施形態の作動について説明する。まず、磁極構成物１１を旋回移動装置１８により容器２２から離間した磁場捕捉位置Ａに移動する。次に磁極構成物１１上に所定厚さの非磁性体からなるスペーサ３２を載置し、スペーサ３２上に回転翼２４の浮上永久磁石２３自身を磁場捕捉用磁石として載置する。これにより、浮上永久磁石２３が磁極構成物１１上に超電導バルク体１２との間にスペーサ２５により所定間隙を保って安定して保持され、浮上永久磁石２３が発生する磁場が超電導バルク体１２に印加される。冷凍機１３が運転され超電導バルク体１２が超電導遷移温度以下に冷却されて浮上永久磁石２３の磁場を捕捉する。次に回転翼２４およびスペーサ３２を磁極構成物１１上から取り外し、磁極構成物１１を被処理液体が収納された容器２２の底部外表面と対向する攪拌位置Ｂに旋回移動装置１８により移動する。
【００２５】
容器２２の蓋２２ｂを開き、浮上永久磁石２３を下にし受動永久磁石２７を上にして回転翼２４を容器本体２２ａ内に磁極構成物１１と対向する位置に入れる。このときに磁場がすでに容器外側から内側に向かって侵入しているため、回転翼２４は容器２２底面に向かって強力に吸引されるが、超電導バルク１２は、超電導バルク１２が浮上永久磁石２３の磁場を捕捉したときにスペーサ３２により設定された間隙を保って浮上永久磁石２３をピン止め力によって支持する。この状態で、蓋２２ｂを閉めると、受動永久磁石２７の上面が蓋２２ｂの下面に触れることなく対向する。これにより回転翼２４はいずれの部位も容器２２の内壁に触れることなく容器２２内に回転可能に支持される。受動永久磁石２７の上面と蓋２２ｂの下面との隙間寸法は、支持軸２６に対する受動永久磁石２７の上下位置を調整ねじ２８により調整して設定する。このように調整ねじ２８により回転翼２４の両端長さ、即ち、受動永久磁石２７の上面と浮上永久磁石２３の下面間の距離を調整することができるので、さまざまな寸法、容量の容器２２に対して回転翼２４を利用することができる。
【００２６】
回転機構３０に連結された能動永久磁石２９を蓋２２ｂの上面に触れることなく受動永久磁石２７と対向させて図略の架台に固定する。回転機構３０により能動永久磁石２９を回転駆動すると、能動永久磁石２９と磁気カップリング３１を構成する受動永久磁石２７が蓋２２ｂを透過する磁場により吸着呼応して回転され、回転翼２２を回転させて容器２２に収納された被処理液体を複数の攪拌翼２５により攪拌する。回転翼２４が回転中で、攪拌作業が実行されている間も超電導バルク体１２は浮上永久磁石２３をピン止め力によって支持するので、回転翼２４は容器２２の内壁に触れることなく完全に非接触の状態にある。
【００２７】
なお、スペーサ３２によって設定され超電導バルク体１２の磁場捕捉により決定される超電導バルク体１２と浮上永久磁石２３との間隙は、磁気カップリング３１による能動永久磁石２９と受動永久磁石２７との間に生じる吸引力によって多少増減するため、必ずしもスペーサ３２の厚さに超電導バルク体１２の上面と真空容器１４の上面との間隔を加算した距離に厳密には一致しないが、回転翼２４による攪拌動作には何ら影響を与えない。
【００２８】
図２に基づいて第２実施形態について説明する。第１実施形態では磁極構成物１１は旋回移動装置１８により磁場捕捉位置Ａと攪拌位置Ｂとの間を旋回移動されるのに対し、第２実施形態では磁極構成物１１は直線移動装置３５により磁場捕捉位置Ａと攪拌位置Ｂとの間で移動される。第２実施形態は、この点のみが第１実施形態と異なるので、以下、直線移動装置３５について説明する。直線移動装置３５は、直線台座３３と磁極構成物１１が取り付けられた直線移動体３４とから構成されている。直線移動体３４は直線台座３３に直線移動可能に装架され、磁極構成物１１を磁場捕捉位置Ａと攪拌位置Ｂの間で直線移動させる。
【００２９】
図１、図２に示した実施形態において、旋回移動装置１８、直線移動装置３５は、回転軸１１、直線移動体３４を手動により旋回または直動させているが、電気モータ、油圧シリンダ等の動力駆動装置により旋回、直動させるようにしてもよい。
【００３０】
容器本体２２ａの底面は必ずしも水平な平面である必要はなく、回転翼２４の下面と容器本体２２ａの底面との間の間隙が許容すれば、傾斜していてもよく、緩やかな曲面であってもよいし、段差や溝等があってもよい。
【００３１】
上記実施形態では、磁極構成物を磁場捕捉位置と攪拌位置との間で移動しているが、磁極構成物を固定し、容器を磁極構成物上の攪拌位置と磁極構成物から離間した待機位置との間で移動させるようにしてもよい。
【００３２】
なお、上記実施形態においては、磁極構成物１１は、容器２２の底部外表面に対して接近する攪拌位置に位置するようになっているが、磁極構成物１１の攪拌位置は、容器２２の底部外表面側に位置する必要はない。上記実施例とは逆に、磁極構成物１１の攪拌位置を容器２２の上部外表面側に位置するようにすることも可能である。この場合、磁気カップリング３１を容器２２の底部外表面側に配置するようにする。
【００３３】
上記実施形態では、磁場捕捉位置において磁極構成物上にスペーサを介して回転翼の永久磁石自身を磁場捕捉用磁石として載置しているが、回転翼の永久磁石と同程度の磁場を発する磁石を、回転翼の永久磁石と対応する磁場捕捉用磁石として磁極構成物上に超電導バルク体と接触させずに所定間隔を保って対向させて載置し、この状態で超電導バルク体を冷凍機により超電導遷移温度以下に冷却して磁場捕捉用磁石の磁場を超電導バルク体に捕捉させるようにしてもよい。
【図面の簡単な説明】
【００３４】
【図１】本発明に係る非接触攪拌装置の第１実施形態を示す図。
【図２】本発明に係る非接触攪拌装置の第２実施形態を示す図。
【図３】従来の非接触攪拌装置を示す図。
【符号の説明】
【００３５】
１１…磁極構成物、１２…超電導バルク体、１３…冷凍機、１４…真空容器、１８…旋回移動装置、２０…支持軸、２２…容器、２２ａ…容器本体、２２ｂ…蓋、２３…永久磁石（磁場捕捉用磁石）、２４…回転翼、２５…攪拌翼、２６…支持軸、２７…受動永久磁石、２８…調整ねじ、２９…能動永久磁石、３０…回転機構、３１…磁気カップリング、３２…スペーサ、３５…直動移動装置、Ａ…磁場捕捉位置、Ｂ…攪拌位置。
【図１】
2005074287.tif 000003
【図２】
2005074287.tif 000004
【図３】
2005074287.tif 000005